(57)【特許請求の範囲】
【請求項１】
無線通信で移動体基地局と情報の送受信を行う携帯電話機であって、
着信処理を行う着信処理部と、
着信履歴を格納する記憶部と、
携帯電話機の振動を検知する振動検知部と、
音を外部に出力する音声出力部と、
振動により着信を通知するバイブレータと、
各種処理を実行する制御部とを備え、
前記制御部は、
前記振動検知部が振動を一定時間以上検知しない場合に、動作モードをユーザが不在である可能性がある場合の動作モードであるユーザ不在モードに移行させるとともに、前記バイブレータを起動させないように制御し、
前記振動検知部が振動を検知していないときに着信があった場合は、着信履歴を前記記憶部に格納し、
前記振動検知部が振動を検知したときに、前記動作モードを通常の動作モードである通常モードに移行させるとともに、前記バイブレータを起動可能に制御し、前記ユーザ不在モード中での着信があった場合は前記記憶部に格納されている着信履歴を前記音声出力部から音声で出力させる
ことを特徴とする携帯電話機。
【請求項２】
着信履歴には、着信時刻、発信者名、発信者番号または発信者電子メールアドレスを示す情報が含まれる
請求項１記載の携帯電話機。
【発明の詳細な説明】
【０００１】
【発明の属する技術分野】
本発明は、不在中の着信履歴を通知する機能を有する携帯電話機に関する。
【０００２】
【従来の技術】
従来の携帯電話機（従来型携帯電話機）には、ユーザの不在中（携帯電話機の近傍にユーザが存在しないこと。）に着信があった場合に着信履歴を記憶するものがある。従来型携帯電話機として、例えば、特開２０００−１７４８９２号公報に記載された無線携帯端末がある。特開２０００−１７４８９２号公報に記載された無線携帯端末は、携帯端末の振動を検知することによってユーザが不在であるか否かを判断し、振動を検知しない場合にはユーザが不在の場合の動作モードであるユーザ不在モードで動作し、例えば、発呼者からの情報を記憶したりする。
【０００３】
【発明が解決しようとする課題】
従来型携帯電話機で不在中の着信履歴を確認するには、ユーザは、ボタン操作によって着信履歴の内容を液晶パネルに表示させ、液晶パネルに表示された内容を見る必要があることがある。折り畳み型の従来型携帯電話機にあっては、電話機を開く必要があることがある。このように、従来型携帯電話機で不在中の着信履歴を確認するには、ユーザは、「ボタン操作を行う」や「液晶パネルを見る」等といった能動的な動作を行わねばならないことがある。即ち、ユーザは、そのような意識的な動作を行わなければ不在中の着信履歴を確認することができないことがある。そのため、急いでいる場合等では、ユーザは、着信履歴の確認を怠ったり、失念したりすることがある。
【０００４】
そこで、本発明は、ユーザによる意識的な動作を必要とせずに不在中の着信履歴を確認することができる携帯電話機を提供することを目的とする。
【０００５】
【課題を解決するための手段】
本発明による携帯電話機は、着信処理を行う着信処理部と、着信履歴を格納する記憶部と、携帯電話機の振動を検知する振動検知部と、音を外部に出力する音声出力部と、振動により着信を通知するバイブレータと、各種処理を実行する制御部とを備え、制御部は、振動検知部が振動を一定時間以上検知しない場合に、動作モードをユーザが不在である可能性がある場合の動作モードであるユーザ不在モードに移行させるとともに、バイブレータを起動させないように制御し、振動検知部が振動を検知していないときに着信があった場合は、着信履歴を記憶部に格納し、振動検知部が振動を検知したときに、動作モードを通常の動作モードである通常モードに移行させるとともに、バイブレータを起動可能に制御し、ユーザ不在モード中での着信があった場合は記憶部に格納されている着信履歴を音声出力部から音声で出力させることを特徴とする。
【０００６】
着信履歴には、着信時刻、発信者名、発信者番号または発信者電子メールアドレスを示す情報が含まれる。
【００１０】
【発明の実施の形態】
以下、本発明による実施の形態について図面を参照して説明する。図１は、本発明による携帯電話機の構成を示すブロック図である。
【００１１】
図１に示す携帯電話機１００は、振動検知装置１１０、プロセッサ１２０、ＲＯＭ１３０、メモリ１４０、着呼処理部１５０、バイブレータ１６０、タイマ１７０、音声再生回路１８０およびスピーカ１９０を備えている。プロセッサ１２０には、振動検知装置１１０、ＲＯＭ１３０、メモリ１４０、着呼処理部１５０、バイブレータ１６０、タイマ１７０および音声再生回路１８０が接続されている。音声再生回路１８０には、スピーカ１９０が接続されている。なお、スピーカ１９０は、通話時の相手方の音声を出力するスピーカと兼用可能である。
【００１２】
振動検知装置１１０は、振動検知部に、プロセッサ１２０は、制御部に、メモリ１４０は記憶部に、着呼処理部１５０は着信処理部に、音声再生回路１８０およびスピーカ１９０は、音声出力部に相当する。
【００１３】
ＲＯＭ１３０には、プロセッサ１２０に着信履歴通知処理およびその他の処理を実行させるための制御プログラムが格納されている。プロセッサ１２０は、ＣＰＵ（中央演算処理装置）等で実現される。プロセッサ１２０は、制御プログラムに基づいて着信履歴通知処理およびその他の処理を実行する。着呼処理部１５０は、着信に関する処理を行い、通話および電子メールの着信を検知した場合に着信信号をプロセッサ１２０に対して出力する。
【００１４】
メモリ１４０は、ＲＡＭ等の記憶素子で実現される。メモリ１４０には、着信履歴およびその他の情報が格納される。また、メモリ１４０は、プロセッサ１２０のワークエリアとしても使用される。タイマ１７０は、カウンタ処理によって時間の経過を計測し、カウンタ値をプロセッサ１２０に対して出力する。ＲＯＭ１３０、メモリ１４０およびタイマ１７０は、プロセッサ１２０に組み込まれてもよい。即ち、プロセッサ１２０、ＲＯＭ１３０、メモリ１４０およびタイマ１７０は、１つのＩＣによって実現されてもよい。
【００１５】
振動検知装置１１０は、携帯電話機１００の振動を検知し、振動を検知した場合に振動検知信号をプロセッサ１２０に対して出力する。バイブレータ１６０は、着信があった場合に振動によりユーザに対して着信を通知する。バイブレータ１６０は、プロセッサ１２０からの制御によって振動する。
【００１６】
音声再生回路１８０は、プロセッサ１２０からテキストデータを入力し、そのテキストデータに対応した音声信号をスピーカ１９０に対して出力する。スピーカ１９０は、音声再生回路１８０からの音声信号を音声に変換して出力する。音声再生回路１８０は、例えば、テキスト音声合成を実現するためのＩＣで実現される。
【００１７】
なお、携帯電話機１００は、通常時には、通常の動作モード（通常モード）に基づいて動作する。通常モードでは、携帯電話機１００は、一般的な携帯電話機と同様な動作を行い、例えば、着信があった場合に、着信音を出力したりバイブレータ１６０を起動させたりする。また、ユーザが不在等の状況では、携帯電話機１００は、ユーザ不在モードで動作する。ユーザ不在モードについては、後述する。
【００１８】
次に、図１に示す携帯電話機１００の動作について説明する。
図２は、携帯電話機１００の動作を説明するためのフローチャートである。
【００１９】
プロセッサ１２０は、タイマ１７０のカウンタをリセットする（ステップＳ２０１）。例えば、タイマ１７０のカウンタを０にセットする。プロセッサ１２０は、携帯電話機１００（筐体）の振動があったか否かについて判断する（ステップＳ２０２）。即ち、プロセッサ１２０は、振動検知装置１１０から振動検知信号を入力したか否かを判断する。振動を検知しなかった場合には、プロセッサ１２０は、ステップＳ２０３の処理を実行し、振動を検知した場合には、プロセッサ１２０は、ステップＳ２０１からの処理を実行する。
【００２０】
プロセッサ１２０は、タイマ１７０のカウンタが規定値を越えたか否かについて判断する（ステップＳ２０３）。即ち、携帯電話機１００の無振動状態が規定時間（例えば、３分等）連続して続いたか否かについて判断する。カウンタが規定値を越えていない場合には、プロセッサ１２０は、ステップＳ２０２からの処理を実行する。また、カウンタが規定値を越えた場合には、プロセッサ１２０は、携帯電話機１００が放置されていると判断する。即ち、ユーザが不在である可能性があると判断する。そして、ステップＳ２０４の処理を実行する。
【００２１】
プロセッサ１２０は、動作モードを通常モードからユーザ不在モードに移行し、バイブレータ１６０の振動設定をＯＦＦにする（ステップＳ２０４）。即ち、通常モードにおいてバイブレータ１６０の振動設定がＯＮであったとしても、ユーザ不在モードに移行した場合には、バイブレータ１６０の振動設定をＯＦＦにする。
【００２２】
プロセッサ１２０は、携帯電話機１００の振動があったか否かについて判断する（ステップＳ２０５）。振動がなかった場合には、プロセッサ１２０は、ステップＳ２０６の処理を実行する。
【００２３】
プロセッサ１２０は、着信があるか否かについて判断する（ステップＳ２０６）。即ち、プロセッサ１２０は、着呼処理部１５０から着信信号を入力したか否かについて判断する。着信がない場合には、プロセッサ１２０は、ステップＳ２０５からの処理を実行する。
【００２４】
着信がある場合には、プロセッサ１２０は、着信信号に基づいて着信履歴をメモリ１４０に格納する（ステップＳ２０７）。着信信号には、着信履歴を示す情報が含まれている。着信履歴には、着信時刻、発信者氏名および発信者電話番号（発信者電子メールアドレス）を示す情報が含まれている。そして、プロセッサ１２０は、ステップＳ２０５からの処理を実行する。
【００２５】
ステップＳ２０５で携帯電話機１００の振動を検知した場合には、プロセッサ１２０は、ユーザが携帯電話機１００を手に取ったと判断し、ユーザ不在モードで動作しているときに着信があったか否かについて判断する（ステップＳ２０８）。具体的には、プロセッサ１２０は、メモリ１４０に着信履歴が格納されているか否かを確認することによって着信の有無を確認する。ユーザ不在モードで動作しているときに着信がなかった場合には、プロセッサ１２０は、ステップＳ２１０の処理を実行する。
【００２６】
ユーザ不在モードで動作しているときに着信があった場合には、プロセッサ１２０は、音声再生回路１８０を介してスピーカ１９０から着信履歴の内容を音声で出力させる（ステップＳ２０９）。即ち、携帯電話機１００は、振動を検知した場合には、着信履歴の自動通知を行う。具体的には、プロセッサ１２０は、メモリ１４０から着信履歴を読出し、その内容を示すテキストデータを生成して音声再生回路１８０に対して出力する。そして、音声再生回路１８０は、そのテキストデータに対応する音声信号を生成してスピーカ１９０に対して出力することによって、スピーカ１９０から着信履歴の内容を音声で出力させる（アナウンスさせる）。
【００２７】
プロセッサ１２０は、動作モードをユーザ不在モードから通常モードに移行し、バイブレータ１６０の振動設定を元の設定に戻す（ステップＳ２１０）。即ち、プロセッサ１２０は、通常モード時におけるバイブレータ１６０の振動設定がＯＮであったならば、その振動設定をＯＮに戻す。
【００２８】
なお、図２に示すフローチャートには図示していないが、プロセッサ１２０は、ユーザ不在モードでの動作中に着信信号を入力した場合（ステップＳ２０６）には、音声再生回路１８０を介してスピーカ１９０から着信音を出力させる。このとき、バイブレータ１６０の振動設定はＯＦＦであるので、プロセッサ１２０は、バイブレータ１６０を起動させない。バイブレータ１６０は起動しないが、着信音が出力されることによって、ユーザが携帯電話機の近傍にいる場合には、ユーザに対して着信があったことを知らせることができる。
【００２９】
次に、具体例を用いて携帯電話機１００の動作について説明する。
まず、携帯電話機１００が規定時間以上放置される場合を想定する。
【００３０】
プロセッサ１２０は、携帯電話機１００が無振動であることを検知し、無振動の継続時間は規定時間を越えているので、携帯電話機１００が放置されていると判断し、動作モードをユーザ不在モードに移行する（ステップＳ２０１〜Ｓ２０４）。プロセッサ１２０は、ユーザ不在モードで動作しているときに、着信があった場合には、着信履歴をメモリ１４０に格納する（ステップＳ２０５〜２０７）。例えば、「１６：００  日電太郎  ０３−１２３４−○△□×」といったような形式で格納する。
【００３１】
次に、ユーザが携帯電話機１００を持ち上げる場合を想定する。プロセッサ１２０は、携帯電話機１００の振動を検知し、ユーザ不在モードで動作しているときに着信があったか否かを判断する（ステップＳ２０５、Ｓ２０８）。着信があったときには、プロセッサ１２０は、着信履歴の内容を示す音声を音声再生回路１８０を介してスピーカ１９０から出力させる（ステップＳ２０９）。例えば、「１６：００に日電太郎さんから着信がありました。」といったような内容をアナウンスさせる。そして、プロセッサ１２０は、動作モードをユーザ不在モードから通常モードに移行させる（ステップＳ２１０）。
【００３２】
以上のように、本実施の形態によれば、携帯電話機１００は、振動を検知した場合にユーザが不在中の着信履歴の内容を音声で出力するので、ユーザは、携帯電話機１００を手に取るといった自然な動作を行うだけで、不在中の着信履歴を音声で確認することができる。従って、「ボタン操作」や「液晶パネルを見る」等といった意識的な動作をすることなしに着信履歴を確認することができる。即ち、着信履歴確認における操作の簡略化を図ることができる。それにより、急いでいる場合等であっても、ユーザは、着信履歴の確認を怠ったり、失念したりすることがない。
【００３３】
また、携帯電話機１００は、ユーザ不在モードで動作中には、バイブレータ１６０の動作を抑制する。従って、携帯電話機１００が放置されているときに、無駄にバイブレータ１６０を振動させることがないので、バッテリの無駄な消費を抑えることができる。それにより、携帯電話機１００の稼動時間（待受可能時間、通話可能時間）を延ばすことができる。
【００３４】
なお、上記の実施の形態では、アナウンスにより着信履歴の内容をユーザに通知する例を示したが、プロセッサ１２０は、音声再生回路１８０を介してスピーカ１９０からビープ音等を出力させることによって、ユーザが不在中に着信があったことを通知してもよい。
【００３５】
【発明の効果】
本発明によれば、携帯電話機は、振動を検知した場合にユーザが不在中の着信履歴の内容を音声で出力するので、ユーザは、携帯電話機を手に取るといった自然な動作を行うだけで、不在中の着信履歴を音声で確認することができる。従って、「ボタン操作」や「液晶パネルを見る」等といった意識的な動作をすることなしに着信履歴を確認することができる。即ち、着信履歴確認における操作の簡略化を図ることができる。それにより、急いでいる場合であっても、ユーザは、着信履歴の確認を怠ったり、失念したりすることがない。
【図面の簡単な説明】
【図１】  本発明による携帯電話機の構成を示すブロック図である。
【図２】  図１に示す携帯電話機の動作を説明するためのフローチャートである。
【符号の説明】
１００  携帯電話機
１１０  振動検知装置
１２０  プロセッサ
１３０  ＲＯＭ
１４０  メモリ
１５０  着呼処理部
１６０  バイブレータ
１７０  タイマ
１８０  音声再生回路
１９０  スピーカ
【図１】
0004232351.tif 000002
【図２】
0004232351.tif 000003